(57)【要約】【課題】ロック機構の部品点数を削減し、記録メディア装置の小型化、薄型化を実現する。【解決手段】コネクタ部が形成されたベース板と、挿入された記録メディアを保持してベース板上をスライドする記録メディアホルダ部とを有する。ベース板に切り欠き形成されたストッパ部が記録メディアホルダ部に係止され、記録メディアホルダ部は記録メディアが挿入されるまで所定の位置に固定される。ベース板にストッパ部が一体的に形成されることから、ロック部材を別途用意する必要がなく、部品点数が削減される。【選択図】　図２
2004118338.tif 000002
【特許請求の範囲】
【請求項１】
コネクタ部が形成されたベース板と、挿入された記録メディアを保持して上記ベース板上をスライドする記録メディアホルダ部とを有し、
上記ベース板に切り欠き形成されたストッパ部が上記記録メディアホルダ部に係止され、当該記録メディアホルダ部は記録メディアが挿入されるまで所定の位置に固定されることを特徴とする記録メディア装置。
【請求項２】
上記ストッパ部は、上記ベース板を切り欠いた板状部上に突起が形成されてなることを特徴とする請求項１記載の記録メディア装置。
【請求項３】
上記記録メディアを記録メディアホルダ部に挿入することにより上記ストッパ部の係止が解除され、記録メディアホルダ部がスライド可能となることを特徴とする請求項１記載の記録メディア装置。
【請求項４】
上記記録メディアの先端部が斜めに切り欠かれていることを特徴とする請求項３記載の記録メディア装置。
【請求項５】
上記斜めに切り欠かれた先端部には、上記ストッパ部に向かって傾斜するテーパが付与されていることを特徴とする請求項４記載の記録メディア装置。
【発明の詳細な説明】
【０００１】
【発明の属する技術分野】
本発明は、記録メディア装置に関するものであり、特にスライド可能な記録メディアホルダ部を備えた記録メディア装置に関する。
【０００２】
【従来の技術】
内部に情報を記録する半導体素子を有するメモリーカードは、小型、軽量であり、取り扱いが容易であることから、リムーバブルな記録メディアとして広く用いられている。その他、記録メディアとしては、磁気記録媒体や磁気ヘッドの有する超小型ハードディスクドライブタイプのもの等も知られている。
【０００３】
記録メディア装置は、メモリーカード等の記録メディアを装着し、さらには装着された記録メディアを排出するための機構を有し、装着された記録メディアにアクセスして情報の記録を行ったり、記録メディアに記録された情報の読み取りを行う装置である。
【０００４】
この記録メディア装置には、記録メディアを単に差し込む構成のものや、記録メディアをホルダで保持して所定の装着位置までスライドする構成のもの等、種々のタイプのものが知られているが、信頼性の高い装着が確実に行え脱着動作も円滑であると言う点で後者の構成のものが有利である。
【０００５】
【発明が解決しようとする課題】
ところで、上記記録メディアホルダがスライドする構成の記録メディア装置においては、スライド機構や種々の位置決め機構等、複雑な機構を実現するために種々の部品が必要であるが、記録メディア装置の小型化、簡略化のためには、できるだけ部品点数を削減することが好ましい。
【０００６】
例えば、記録メディアホルダは、記録メディアが挿入されるまでの間、所定の位置に固定しておく必要があるが、そのためにはスライド部、受け部の他、固定するためのロック部も必要であり、最低でも３部品は必要である。
【０００７】
本発明は、かかる従来の実情に鑑みて提案されたものであり、部品点数を削減することができ、小型化、薄型化を実現することが可能な記録メディア装置を提供することを目的とする。
【０００８】
【課題を解決するための手段】
上述の目的を達成するために、本発明の記録メディア装置は、コネクタ部が形成されたベース板と、挿入された記録メディアを保持して上記ベース板上をスライドする記録メディアホルダ部とを有し、上記ベース板に切り欠き形成されたストッパ部が上記記録メディアホルダ部に係止され、当該記録メディアホルダ部は記録メディアが挿入されるまで所定の位置に固定されることを特徴とするものである。
【０００９】
本発明の記録メディア装置においては、スライド部である記録メディアホルダ部を記録メディアが挿入されるまで所定の位置に固定しておくためのストッパ部がベース板を切り欠くことにより一体的に形成されている。したがって、ストッパ部を別途部品として用意する必要はなく、その分、部品点数が削減される。
【００１０】
【発明の実施の形態】
以下、本発明を適用した記録メディア装置について、図面を参照しながら詳細に説明する。
【００１１】
具体的構造の説明に先だって、先ず、本発明を適用した記録メディア装置の基本的な動作について説明する。
【００１２】
図１に示すように、記録メディア装置１は、メモリーカードのような記録メディア２が挿入される挿入口３が形成されたフロントベゼル４と、前記挿入口３を塞ぐ蓋５と、図中Ｙ１，Ｙ２方向に移動可能に支持されており挿入された記録メディア２を保持する筐体状の記録メディアホルダ６と、この記録メディアホルダ６をスライド支持するベース板７とを有する。ベース板７の後端部には、装着された記録メディア２の端子と接続されるコネクタ部８が設けられている。
【００１３】
記録メディアホルダ６は、図示しないロック機構によってＹ１方向に移動しないようにロックされており、記録メディア２が記録メディアホルダ６内に挿入されたときにロックが解除される構成である。記録メディア２が装着されていないとき、あるいは記録メディア２全体が内部に収容されたときには、上記蓋５が挿入口３を塞ぐ。
【００１４】
記録メディア２を装着する前の状態では、記録メディアホルダ６は、図１（Ａ）に示す位置にあり、ロック機構によってロックされている。操作者が蓋５を押し開けながら記録メディア２を挿入口３に挿入すると、図１（Ｂ）に示すように、記録メディア２は記録メディアホルダ６に挿入される。この記録メディア２の挿入によって、記録メディアホルダ６のロックが解除され、記録メディアホルダ６は矢印Ｙ１方向へ移動可能となる。
【００１５】
さらに記録メディア２を押し込むと、図１（Ｃ）に示すように、記録メディア２は記録メディアホルダ６に保持された状態で、記録メディアホルダ６のスライドに伴って移動し、ある程度移動すると、図示しない反転バネの作用によってＹ１方向に引き込まれ、図１（Ｄ）に示すように、ベース板７の後端部に突き当たって固定される。このとき、記録メディア２の端子がベース板７に設けられたコネクタ部８と接続され、挿入口３は蓋５によって塞がれる。
【００１６】
この状態が記録メディア２が記録メディア装置に装着された状態であり、この状態で記録メディア２と記録メディア装置の間で情報の書き込み、あるいは情報の読み出しが行われる。
【００１７】
情報の書き込み、あるいは読み出しが終了して記録メディア２を取り出す場合には、操作者はイジェクト釦を押すイジェクト操作を行う。イジェクト操作をすると、図１（Ｄ）に示す固定状態が解除され、記録メディアホルダ６が矢印Ｙ２方向に移動して図１（Ｅ）に示すように蓋５が記録メディア２によって押し開かれる。ある程度まで移動すると、先の反転バネの作用によって今度は矢印Ｙ２方向に記録メディアホルダ６が押し出され、図１（Ｆ）に示す位置まで移動する。この状態で、操作者は図１（Ｇ）に示すように記録メディア２をつまんで取り出す。
【００１８】
以上が本発明を適用した記録メディア装置の基本的な動作であるが、次に、その具体的構造について説明する。
【００１９】
記録メディア装置は、図２に示すように、ベース板１１と、この上をスライドする記録メディアホルダ１２とを有している。ベース板１１の後端部には、絶縁性を有する樹脂板１３がはめ込まれ、これに端子ピン１４が複数配列されてコネクタ部とされている。
【００２０】
記録メディアホルダ１２は、金属板からなる筐体状の部材であり、記録メディアが挿入される開口部１２ａを有する。また、記録メディアホルダ１２は、係止爪１２ｂを有し、これをベース板１１の一側縁１１ａに係止することにより、Ｙ１方向、あるいはＹ２方向にスライド可能となっている。
【００２１】
また、上記ベース板１１には、上記記録メディアホルダ１２を図示の一に固定するロック機構１５が設けられている。このロック機構１５は、ベース板１１を切り欠くことにより形成されたストッパ部１６からなるものであり、その突起部１６ａを記録メディアホルダ１２の底面板１２ｃの一側縁１２ｄに突き当てることにより、これを固定するものである。このロック機構１５については、後に詳述する。
【００２２】
その他、上記ベース板１１の側方には、イジェクトピン１７が設けられており、これを操作することにより、記録メディアホルダ１２の排出動作が行われる。すなわち、このイジェクトピン１７の操作により、図示しない記録メディアホルダ１２に係止されたカム板が回動し、記録メディアホルダ１２を矢印Ｙ２方向に押し出す。なお、上記イジェクトピン１７は、バネによって矢印Ｙ１方向に引っ張られており、図２に示す状態が安定状態である。
【００２３】
図３に示すように、上記記録メディア装置に記録メディア１８を挿入すると、記録メディア１８は開口部１２ａから記録メディアホルダ１２内へ挿入される。この状態は、図１（Ｂ）の状態に相当する。記録メディア１８が挿入されると、斜めに切り欠かれた先端面１８ａが上記ストッパ部１６の突起部１６ａを押し下げ、ロック機構１５のロック状態を解除する。すなわち、記録メディアホルダ１２は、矢印Ｙ１方向にスライド可能となる。
【００２４】
図４は、さらに記録メディア１８を押し込んで記録メディアホルダ１２をスライドさせ、装着位置に固定した状態を示すものである。この状態では、記録メディア１８の端子部がベース板１１のコネクタ部の端子ピン１４と電気的に接続され、記録メディア１８に対して情報の記録や、記録された情報の読み出しが可能となる。
【００２５】
情報の書き込み、あるいは読み出しが終了して記録メディア１８を取り出す場合には、上記イジェクトピン１７を押し込み操作する。これによりカム板が回動し、記録メディアホルダ１２を矢印Ｙ２方向に押し出す。
【００２６】
次に、上記ロック機構１５について詳細に説明する。ロック機構１５は、図５（Ａ）に示すように、ベース板１１を切り起こしたストッパ部１６に突起部１６ａを形成することにより構成されている。板状のストッパ部１６の先端１６ｂは、図２に示す状態では、記録メディアホルダ１２の底面板１２ｃの下方に若干入り込んでおり、不用意にめくれ上がるのを防止している。また、上記突起部１６ａは、先端に向かって傾斜する傾斜面１６ｃを有する。上記ロック機構１５においては、上記突起部１６ａが記録メディアホルダ１２の底面板１２ｃの一側縁１２ｄに突き当たり、これをロックしている。
【００２７】
ここに図５（Ｂ）に示すように記録メディア１８を挿入すると、記録メディア１８の先端１８ａが上記ストッパ部１６の突起部１６ａに突き当たる。ここで、記録メディア１８の先端面１８ａは、図６に示すように斜めに切り欠かれており、さらに、その底辺部分はテーパ面１８ｂとされている。
【００２８】
したがって、上記記録メディア１８をさらに押し込むと、図５（Ｃ）に示すように、上記テーパ面１８ｂによって突起部１６ａが押し下げられる。これにより、上記ロック機構１５のロック状態が解除される。
【００２９】
上記ロック機構１５は、ベース板１１を切り起こしたストッパ部１６と、スライドする記録メディアホルダ１２とから構成され、例えばロック部材は不要である。したがって、部品点数を２点に削減することができる。
【００３０】
【発明の効果】
以上の説明からも明らかなように、本発明の記録メディア装置によれば、ロック機構の部品点数を削減することができ、小型化、薄型化を実現することが可能である。
【図面の簡単な説明】
【図１】記録メディア装置の基本的な動作を説明するための模式図である。
【図２】記録メディア装置の具体的構造例を示す斜視図である。
【図３】記録メディアを記録メディアホルダに挿入した状態を示す斜視図である。
【図４】記録メディアの装着状態を示す斜視図である。
【図５】ロック機構の動作を説明するための模式図である。
【符号の説明】
１　　　　　　記録メディア装置
２　　　　　　記録メディア
６、１２　　　記録メディアホルダ
７、１１　　　ベース板
１５　　　　　ロック機構
１６　　　　　ストッパ部
１６ａ　　　　突起部
１８　　　　　記録メディア
１８ｂ　　　　テーパ面
【図１】
2004118338.tif 000003
【図２】
2004118338.tif 000004
【図３】
2004118338.tif 000005
【図４】
2004118338.tif 000006
【図５】
2004118338.tif 000007